(57)【特許請求の範囲】
【請求項１】
ＰＣカットアウトの本体ケースにヒューズ管を装着して仮送電するためのＰＣカットアウト用仮送電具であって、
間接工具の共用操作棒の先端部に着脱自在に取り付けられ、前記共用操作棒を操作することで該共用操作棒から取り外し可能な被取付部と、
前記被取付部と連結され、前記ヒューズ管を着脱自在に把持する把持部と、
を備え、前記被取付部を前記共用操作棒の先端部に取り付け前記把持部で前記ヒューズ管を把持して、前記ヒューズ管を前記本体ケースに装着した後に、前記共用操作棒を前記被取付部から取り外すことで前記ヒューズ管を把持したままになる、ことを特徴とするＰＣカットアウト用仮送電具。
【発明の詳細な説明】
【技術分野】
【０００１】
この発明は、ＰＣカットアウト（高圧カットアウト）が破損した場合に、一時的に（仮に）送電を行うためのＰＣカットアウト用仮送電具に関する。
【背景技術】
【０００２】
ＰＣカットアウトは、蓋にヒューズ管が着脱自在に配設され、蓋を本体ケースに対して閉めることで、ヒューズ管が本体ケースに装着されるようになっている（例えば、特許文献１参照。）。このようなＰＣカットアウトのヒューズ管や蓋が焼損したり破損したりした場合、送電を仮復旧（応急仮送電）するためには、ＰＣカットアウトの一次、二次側をバイパスするＰＤクランプを取り付けるか、ＰＣカットアウトを取り替えなければならない。
【０００３】
また、ＰＤクランプを取り付ける際に仮支持を不要にし、かつ連続的に取付作業を行えるようにした技術が知られている（例えば、特許文献２参照。）。
【先行技術文献】
【特許文献】
【０００４】
【特許文献１】特開２０１１−１０１５００号公報
【特許文献２】特開２０００−２０９７９６号公報
【発明の概要】
【発明が解決しようとする課題】
【０００５】
ところで、ＰＤクランプの取り付けやＰＣカットアウトの取り替えには、専門的な技術・技能を要し、しかも２名で作業を行わなければならず、時間と労力とを要する。特に、平常時には作業員がいるためすぐに対応が可能であるが、当直時や委託員対応時などには、ＰＤクランプの取り付けなどが困難であり、応援等を要請しなければならない。このため、応急仮送電までに長時間を要していた。
【０００６】
そこでこの発明は、ＰＣカットアウトのヒューズ管や蓋が焼損・破損した場合に、容易かつ迅速に送電を仮復旧することを可能にするＰＣカットアウト用仮送電具を提供することを目的とする。
【課題を解決するための手段】
【０００７】
上記課題を解決するために、請求項１の発明は、ＰＣカットアウトの本体ケースにヒューズ管を装着して仮送電するためのＰＣカットアウト用仮送電具であって、間接工具の共用操作棒の先端部に着脱自在に取り付けられ、前記共用操作棒を操作することで該共用操作棒から取り外し可能な被取付部と、前記被取付部と連結され、前記ヒューズ管を着脱自在に把持する把持部と、を備え、前記被取付部を前記共用操作棒の先端部に取り付け前記把持部で前記ヒューズ管を把持して、前記ヒューズ管を前記本体ケースに装着した後に、前記共用操作棒を前記被取付部から取り外すことで前記ヒューズ管を把持したままになる、ことを特徴とする。
【０００８】
この発明によれば、把持部でヒューズ管を把持した状態で、間接工具の共用操作棒の先端部に被取付部を取り付け、共用操作棒を操作してヒューズ管をＰＣカットアウトの本体ケース側に押し込むことで、ヒューズ管が本体ケースに装着される。次に、共用操作棒の先端部を被取付部から取り外すことで、本ＰＣカットアウト用仮送電具で把持されたヒューズ管が、本体ケースに装着された応急仮送電状態となる。その後、応急仮送電が不要になった場合には、本ＰＣカットアウト用仮送電具の被取付部に共用操作棒の先端部を取り付け、共用操作棒を引いてヒューズ管を本体ケースから取り外す。
【発明の効果】
【０００９】
請求項１の発明によれば、把持部でヒューズ管を把持した本ＰＣカットアウト用仮送電具を、共用操作棒の先端部に取り付け、地上などから共用操作棒でヒューズ管を押し込むだけで、ヒューズ管が本体ケースに装着される。そして、このような作業・操作は、誰でも一人で容易かつ迅速、安全に行うことができるため、ＰＣカットアウトのヒューズ管や蓋が焼損・破損した場合であっても、容易かつ迅速に送電を仮復旧することが可能となる。
【００１０】
また、本ＰＣカットアウト用仮送電具が共用操作棒に対して着脱自在で、共用操作棒を操作することで該共用操作棒から取り外し可能なため、応急仮送電状態では本仮送電具でヒューズ管を把持したままにすることで、本仮送電具でヒューズ管を保護することができる。しかも、応急仮送電が不要になった際に、本仮送電具に再び共用操作棒を取り付けることで、容易かつ迅速に本仮送電具およびヒューズ管を取り外すことができる。
【００１１】
また、ＰＤクランプを取り付ける場合には、高圧引下げ線にクランプ傷を付けてしまうが、本ＰＣカットアウト用仮送電具による応急仮送電・仮復旧では、高圧引下げ線などに損傷を与えることがない。さらに、本復旧としてＰＣカットアウトを取り替える際に、ＰＤクランプを取り付けた場合には、高圧引下げ線を切断しなければならないが、本仮送電具で仮復旧した場合には、高圧引下げ線を切断することなくヒューズ管を取り外すだけでよいため、容易かつ迅速、安全に取替作業を行うことができる。しかも、ヒューズ管の装着や取り外しは、上記のように１本の共用操作棒のみで行うことができる。
【図面の簡単な説明】
【００１２】
【図１】この発明の実施の形態に係るＰＣカットアウト用仮送電具を示す正面図である。
【図２】図１のＰＣカットアウト用仮送電具の平面図である。
【図３】図１のＰＣカットアウト用仮送電具の被取付部を示す正面図である。
【図４】この発明の実施の形態に係る共用操作棒の先端部側を示す正面図である。
【図５】図１のＰＣカットアウト用仮送電具の把持部を示す側面図である。
【図６】図１のＰＣカットアウト用仮送電具を使用してヒューズ管を装着する状態を示す斜視図である。
【発明を実施するための形態】
【００１３】
以下、この発明を図示の実施の形態に基づいて説明する。
【００１４】
図１、２は、この発明の実施の形態に係るＰＣカットアウト用仮送電具１を示す正面図と平面図である。このＰＣカットアウト用仮送電具１は、ＰＣカットアウトの本体ケースにヒューズ管１００を装着して仮送電するための器具であり、主として、被取付部２と把持部３とを備えている。
【００１５】
被取付部２は、間接工具の共用操作棒の先端部に着脱自在に取り付けられる接続部であり、プラスチック・樹脂製で、図３に示すように、略円筒形となっている。すなわち、外円と同軸な円形の装着穴２ａが下面から形成され、図４に示す共用操作棒２００の共用連結部（先端部）２０１が嵌合可能となっている。ここで、間接工具とは、電線や電気機器などに作業者が直接接することなく作業を行うための工具であり、共用操作棒２００の共用連結部２０１に各種の先端工具を取り付けることで、各種動作、操作が行えるものである。
【００１６】
被取付部２の外周面と装着穴２ａの内周面との間には、第１の係合穴２ｂとガイド穴２ｃと第２の係合穴２ｄとが形成されている。第１の係合穴２ｂは、被取付部２の下端面２ｅから所定の長さだけ軸方向に沿って上方に延び、ガイド穴２ｃは、第１の係合穴２ｂの終端・上端から左右に水平に延びている。また、第２の係合穴２ｄは、ガイド穴２ｃの左右の終端から所定の長さだけ軸方向に沿って、下方に延びている。これらの第１の係合穴２ｂとガイド穴２ｃと第２の係合穴２ｄは、共用操作棒２００の共用連結部２０１に設けられた係合突起２０２が、進入可能な幅に形成されている。このような第１の係合穴２ｂとガイド穴２ｃと第２の係合穴２ｄとが、被取付部２の軸心に対して点対照状に（１８０°回転させて）、２組形成されている。
【００１７】
ここで、係合突起２０２は、円柱状の共用連結部２０１の外周面から突出し、共用連結部２０１の軸心に対して点対照状に２つ設けられている。そして、係合突起２０２を第１の係合穴２ｂに位置させた状態で、共用連結部２０１を装着穴２ａに挿入し、係合突起２０２がガイド穴２ｃに達した時点で、共用操作棒２００を軸心周りに回転させ、係合突起２０２が第２の係合穴２ｄに達した時点で、共用操作棒２００（共用連結部２０１）を引く。これにより、係合突起２０２が第２の係合穴２ｄに嵌合し、被取付部２が共用操作棒２００に対して軸心回りに回転せず、軸方向にわずかにスライド可能に連結されるように、第１の係合穴２ｂとガイド穴２ｃと第２の係合穴２ｄとが形成されている。また、連結を解除するには、上記の連結操作と逆の操作・動作を行えばよい。
【００１８】
このような被取付部２の上端部から、２つのアーム部４が上方にＶ字状に延びるように形成されている。このアーム部４は、被取付部２と一体的に形成され、アーム部４とアーム部４の配設方向は、第１の係合穴２ｂと第１の係合穴２ｂとの配設方向に直交するように、設定されている。つまり、後述するようにして把持されたヒューズ管１００の軸方向が、第１の係合穴２ｂと第１の係合穴２ｂとを結ぶ直線に直交するように、２つのアーム部４が形成されている。
【００１９】
このようなアーム部４の先端部に、それぞれ把持部３が配設されている。つまり、アーム部４を介して、被取付部２と把持部３とが連結されている。この把持部３は、ヒューズ管１００を着脱自在に把持するものであり、弾性変形自在な金属板で構成され、図５に示すように、接続部３ａと把持円弧部３ｂとを有している。
【００２０】
接続部３ａは、矩形のＵ字状で、アーム部４の先端部で覆われるようにして、アーム部４と接続されている。この接続部３ａの両端から円弧状の把持円弧部３ｂが形成されている。この把持円弧部３ｂの曲率半径は、ヒューズ管１００の主体１００ａ（端子１００ｂの根元部）の半径よりもやや小さく設定され、主体１００ａを把持した際に主体１００ａを確実に挟持し、かつ、把持したヒューズ管１００を容易に外せるようになっている。
【００２１】
また、この把持円弧部３ｂの上端部には、外側に広がった導入部３ｃが形成され、ヒューズ管１００を把持円弧部３ｂに導入・挿入しやすいようになっている。さらに、このような把持部３は、被取付部２に対して点対照（左右対照）に配設され、ヒューズ管１００を図１とは左右逆にしても把持できるようになっている。
【００２２】
次に、このような構成のＰＣカットアウト用仮送電具１の使用方法や応急仮送電方法などについて説明する。ここで、図６に示すように、ＰＣカットアウト１０１の蓋１０２（蓋１０２に配設されているヒューズ管も）が破損し、本体ケース１０３は正常であるとする。
【００２３】
まず、本仮送電具１の把持部３で正常なヒューズ管１００を把持する。すなわち、ヒューズ管１００の主体１００ａを導入部３ｃから把持円弧部３ｂ側に押し込むことで、両把持円弧部３ｂで主体１００ａを挟持、把持する。このとき、ヒューズ管１００の端子１００ｂがアーム部４に対向するように、ヒューズ管１００を把持する。この状態で、間接工具の共用操作棒２００の先端部に本仮送電具１を取り付ける。すなわち、上記のように、共用操作棒２００の共用連結部２０１を被取付部２の装着穴２ａに挿入し、共用操作棒２００を軸心周りに回転させてから、引き寄せる。
【００２４】
次に、地上などから共用操作棒２００を操作して、ヒューズ管１００をＰＣカットアウト１０１の本体ケース１０３側に押し込み、ヒューズ管１００の端子１００ｂを本体ケース１０３内のソケットに挿入する。これにより、ヒューズ管１００が本体ケース１０３に装着される。続いて、共用操作棒２００を本仮送電具１から取り外す。すなわち、上記のように、共用操作棒２００を押して軸心周りに回転させ、係合突起２０２を第１の係合穴２ｂに位置させて、共用連結部２０１を装着穴２ａから引き出す。なお、この取り外しや上記の取り付けの際に、共用操作棒２００を動かす代わりに、本仮送電具１を動かしてもよいことは勿論である。
【００２５】
これにより、本仮送電具１で把持されたヒューズ管１００が、本体ケース１０３に装着され、応急仮送電状態となる。ここで、応急仮送電状態であることを明示するために、本仮送電具１などに「仮送電中」の表示ラベルなどを貼り付けてもよい。
【００２６】
その後、応急仮送電が不要になった場合には、上記と同様にして本仮送電具１の被取付部２に共用操作棒２００の共用連結部２０１を接続し、共用操作棒２００を引いてヒューズ管１００を本体ケース１０３から取り外す。その後、ヒューズ管１００を把持部３から取り外すものである。
【００２７】
以上のように、このＰＣカットアウト用仮送電具１によれば、把持部３でヒューズ管１００を把持した本仮送電具１を、共用操作棒２００の先端部に取り付け、地上などから共用操作棒２００でヒューズ管１００を押し込むだけで、ヒューズ管１００が本体ケース１０３に装着される。そして、このような作業・操作は、誰でも一人で容易かつ迅速、安全に行うことができるため、ＰＣカットアウト１０１の蓋１０２が焼損・破損した場合であっても、容易かつ迅速に送電を仮復旧することが可能となる。
【００２８】
また、本仮送電具１が共用操作棒２００に対して着脱自在なため、応急仮送電状態では上記のように本仮送電具１でヒューズ管２００を把持したままにすることで、本仮送電具１でヒューズ管１００を保護することができる。しかも、応急仮送電が不要になった際に、本仮送電具１に再び共用操作棒２００を接続することで、容易かつ迅速に本仮送電具１およびヒューズ管１００を取り外すことができる。
【００２９】
また、ＰＤクランプを取り付ける場合には、高圧引下げ線にクランプ傷を付けてしまうが、本仮送電具１による応急仮送電・仮復旧では、高圧引下げ線などに損傷を与えることがない。さらに、本復旧としてＰＣカットアウトを取り替える際に、ＰＤクランプを取り付けた場合には、高圧引下げ線を切断しなければならないが、本仮送電具１で仮復旧した場合には、高圧引下げ線を切断することなくヒューズ管１００を取り外すだけでよいため、容易かつ迅速、安全に取替作業を行うことができる。しかも、ヒューズ管１００の装着や取り外しは、上記のように１本の共用操作棒２００のみで行え、少ない設備、人員で行うことができる。また、限流ヒューズの形状、大きさがヒューズ管１００と同等の場合には、本仮送電具１を使用して限流ヒューズを取り替えることができ、事故・停電などがトランスによるものか否かを確認することが可能となる。
【００３０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、２つのアーム部４がＶ字状に形成され、把持部３が２つ設けられているが、ヒューズ管１００の長さなどに応じて、アーム部を板状にし、このアーム部の上縁に沿って延びる把持部を設けてもよい。また、把持部３の弾性変形によってヒューズ管１００を着脱自在に把持できるようにしているが、ネジの締め込み、解除によって、ヒューズ管１００を着脱自在にしてもよい。
【符号の説明】
【００３１】
１        ＰＣカットアウト用仮送電具
２        被取付部
３        把持部
４        アーム部
１００    ヒューズ管
１０１    ＰＣカットアウト
１０２    蓋
１０３    本体ケース
２００    共用操作棒
２０１    共用連結部（先端部）
【図１】
0005730723.tif 000002
【図２】
0005730723.tif 000003
【図３】
0005730723.tif 000004
【図４】
0005730723.tif 000005
【図５】
0005730723.tif 000006
【図６】
0005730723.tif 000007